(57)【特許請求の範囲】
【請求項１】
溜池の統廃合に際し、廃止溜池の埋立後も埋立前の洪水量を保持する溜池の維持・管理法であって、
廃止する溜池の埋立面の排水を良くするために、常時流入する小流入水量を排水する欠口を洪水吐に設け、その欠口による洪水量の増加に相当する洪水量を減らすために、洪水吐の巾を縮小する溜池の維持・管理法。
【請求項２】
溜池の統廃合に際し、廃止溜池の埋立後も埋立前の洪水量を保持する溜池の維持・管理法であって、
埋立面の高さを廃止する溜池の現況満水面の高さ以下にするにあたり、常時流入する小流入量が埋立面より下になるように小排水路を設置し、洪水吐に欠口を設け、その欠口による増加洪水量を減らすために、洪水吐の巾を縮小して、洪水吐の敷高を埋立面の高さ以下とする溜池の維持・管理法。
【請求項３】
溜池の統廃合に際し、廃止溜池の埋立後も埋立前の合計洪水量を保持する溜池の維持・管理法であって、
埋立面の高さを廃止する溜池の現況満水面の高さ以上にするにあたり、常時流入する小流入量が埋立面より下になるように小排水路を設置し、洪水吐に欠口を設け、その欠口による増加洪水量を減らすために、洪水吐の巾を縮小して、洪水吐の敷高を埋立面の高さ以上とする溜池の維持・管理法。
【発明の詳細な説明】
【０００１】
【発明の属する技術分野】
中小の農業用危険溜池を廃止統合する溜池の再編成する維持・管理方法に関し、さらには、農業用水源に発生するヘドロを農業用基盤整備施設の資材として有効利用する溜池の統廃合を含む維持・管理方法に関する。
【０００２】
【従来の技術】
１．中小の農業用溜池は、人為的に操作して洪水調節はしていない。すなわち、洪水時は常に満水状況で流入量の大小と、溜池の面積と、流入域の面積の比が１：３０以下の場合は満水面による洪水調節機能があり、１：３０以上の場合は洪水調節機能は無い前提で洪水量の計算をしている。
２．また、溜池を改修する場合は溜池の堤体の安全を考慮した洪水吐を設けるが、下流水路については流下能力の検討は行わなくて良いことになっている。
３．中小の農業溜池のうち危険溜池を廃止し効率の良い溜池に統合して、安全で安価な施設とするために溜池再編事業を行っている。
４．溜池を廃止し埋立をする場合は下流の排水路能力を検討して対策を立てた後に廃止溜池の埋立が可能である。
５．いずれの場合でも関係者の同意を得ることになっている。
【０００３】
６．溜池の統廃合は同一水系内に限られているため、パイプによる計画は溜池再編事業とは別事業で計画することになっている。
７．ヘドロは残土処理または産業廃棄物として処理している。
【０００４】
【発明が解決しようとする課題】
１．危険な溜池の下流排水路の排水能力を検討した結果、排水能力が無い場合は排水路から先に改修し、その後に廃止溜池を埋立てていたのでは急を要する溜池は危険である。そこで、危険溜池を先に改修すれば廃止統合するよりも事業費は高くなり、後発経費も高くなる。限られた予算で安全で安価にしかも早期に実施する工法と方法が課題であった。
２．また、下流排水路が整備済みでも、下流関係者は溜池を埋立すれば洪水量が増加するとの思いこみがあり、埋立同意が得られず溜池を廃止することが出来ない場合が多い。そこで、廃止が出来ず改修すれば多額の公共投資をともなう。一般に溜池を改修する場合と、廃止して統合溜池で廃止溜池貯水量に相当する量を浚渫により水源確保する場合を比較すれば、改修工法１０に対し、廃止統合工法費は１程度となる。以上から、いずれの場合でも下流関係者の同意を得ることが課題であった。
【０００５】
１．溜池の再編整備に伴う統廃合は同一水系内に限られていた。また、上流側を統合溜池として、下流側を廃止溜池にすることに限られることになる。このため、密度の高い中小溜池では、溜池再編整備の目的が十分発揮されていなかった。また、パイプを他事業と溜池を再編事業をそれぞれ別の事業として計画・実施しているため、多くの労力を要していることが課題である。
２．水源に発生するヘドロは、固化剤又は乾いた土を混合し水分調整して搬出し、残土捨土又は廃棄物処理されているため、多額の費用を要しているためこれを有効利用することが課題である。
【０００６】
【課題を解決するための手段】
上記課題を解決するために、第一の技術思想は、１．危険溜池が決壊した場合の被害と、廃止溜池の洪水量を現況を変えないで埋立した排水路の現況排水状況を下流関係者に説明して、危険度の高い危険溜池を先に埋立てし、次に排水路の改修を逐次実施していくことを説明して同意を取り課題を解決する。
２．すなわち、廃止溜池の洪水吐の洪水量が増加しないような埋立工法で溜池を廃止し、埋立ることを下流関係者に説明すれば容易に同意が得られ課題を解決する。
３．下流排水路が未整備の場合でも廃止溜池の洪水量を変えなければ、下流の排水は現状であり、緊急度の高い溜池決壊を防止するため溜池を先に埋立てて、次に下流水路を段階的に整備することを説明すれば、下流関係者の同意も容易に得られ課題が解決する。
【０００７】
また、第二の技術思想は、密度の高い中小農業用溜池地域では一般に多くの水系にまたがっている。そこで、これ等を一体的に計画することが、溜池再編整備の目的である、多くの溜池の統廃合が可能であり当面の事業費の縮減効果は大である。また、後発費用負担の軽減は世代を越えて大きな効果を得られる。開田当時の技術と知恵で築造された溜池群を、現代の技術と知恵でパイプによる溜池再編整備をすれば後世に残る事業として課題が発展的に解決する。
【０００８】
さらに、第三の技術思想は、１．農業用の水源は浄化施設もなく、濁水もそのまま直接農地に導水してかん水している。従って、ヘドロも農地に流入しているのが現状である。そこで、水源に発生するヘドロは産業廃棄物とせず、同一水源内に発生するヘドロを同一水源内での農業用施設の資材として使用を認めれば、ヘドロ処理に要している多額の費用が軽減され課題は解決する。
２．水源のヘドロに使用する固化剤の種類によってはアルカリ度が高い場合がありＰＨを環境面から問題としているが、農地に使用している肥料との比較をすれば、微小な値であることを考えて、ヘドロを資材としての有効利用することを同一水系内に限って認められれば問題は解決する。
【０００９】
【発明の実施の形態】
《第一の技術思想》
１．廃止する溜池の満水面の下に浅い水深を残して埋立をし、洪水吐の形状を現況のままとすることから成る。
２．廃止する溜池の、満水面または満水面より上まで埋立をした地面に設けた排水路と、洪水吐に排水路相当の欠口を設けた現況洪水吐よりも巾の狭い洪水吐から成る。
《第二の技術思想》
１．廃止溜池と、統合溜池を結ぶ給水パイプ、送水パイプとポンプ、集水パイプ等から成る。
《第三の技術思想》
１．水源のヘドロを固化剤で固めて法面に張り付けた法面保護工から成る。
２．同上法面の内側に止水層を設けた法面保護工から成る。
３．法面保護の法枠と、固化剤混合ヘドロの中漬から成る。
４．固化剤混合ヘドロの路盤材から成る。
【００１０】
【実施例】
以下、図にもとづいて本発明の実施例を説明するが、本発明はそれらの実施例によって限定されるものではない。
【００１１】
図１(a)〜（ｄ）は、統合溜池の固化剤混合ヘドロを廃止溜池に埋立する工程図であり、図２は一般的な廃止溜池の状況説明図であり、図３は廃止溜池の跡地をビオトープとした説明図であり、図４は廃止溜池の跡地を広場とした説明図であり、図５は、溜池の流入水域からの流入により満水面４から水位が上昇し洪水吐から越流水流となって流下する状況を示し、図６は、統合溜池５の同一流入水域１２ａの上流に位置する廃止溜池６ｂと、統合溜池５の他の流入水域１２ｂで統合溜池５より上流にある廃止溜池６ｃと、統合溜池５より下流にある廃止溜池６ｄ、及び、統合溜池５の他の流入水域１２ｃ統合溜池５より下流にある廃止溜池６ｅの溜池の統廃合のシステムを示す。
【００１２】
本発明は、既存の溜池を統廃合するものであるから、統廃合の結果は下流関係者の同意を必要とするので、具体的な溜池の維持・管理方法を説明する前に、先ず下流関係者への説明について説明する。
１．先づ現況の溜池の機能を説明する。
２．すなわち、中小の溜池は人為的に排水を調整していない現状を理解してもらう。
３．次に降雨があり、洪水が流出する前の溜池は満水状況であることを理解してもらう。
４．降雨量が多くなり、溜池の流入水域１２から流入する量の増加により溜池の水面が上昇し、満水面より上昇した越流水深１４と、現況洪水吐３の幅で排水されることを理解してもらう。
５．廃止溜池６を埋立した場合、埋立面２１は現況溜池の満水面４と同じであり、埋立後も洪水吐が現況の形状であれば洪水量も現況洪水量と変わらないことを理解してもらって下流関係者の同意を得る。
６．また、埋立面２１を広場として利用するため、排水路２５を設置し、洪水吐に欠口２３を設け、それに相当する洪水量を現況洪水吐３の幅を縮小して、埋立面２１と改良洪水吐２０の敷高１３を同じにすれば、現況洪水量と変わらないことの説明をして理解してもらって下流関係者の同意を得る。
【００１３】
実施例１
図１において、統合溜池５のヘドロを廃止溜池６に盛土する工程を説明する。
１．統合溜池５と、廃止溜池６の底樋管２のゲート１１を開けて溜池の排水をする（図１ａ１，ｂ１）。
２．廃止溜池６のヘドロ８に固化剤を散布してバックホー等で混合した後ローラー等で転圧をする（図１ｂ２）。
３．統合溜池５のヘドロ８に固化剤を散布してバックホー等で混合した後、トラックに積み込み廃止溜池６まで運搬する（図１ａ３）。
４．廃止溜池６に搬入された固化剤混合ヘドロ５１を一定厚さにブルドーザ等でまき出し、ローラー等で転圧する（図１ｂ３）。
５．統合溜池５のヘドロ運搬が完了すれば底桶管２のゲート１１を閉めると満水面４まで水が溜る（図１ａ４）。さらに流水水域１２から流入水が続けば現況流水吐３から越流水深１４となって放水路９を通り、下流排水路１０に流下する（図５）。
６．廃止溜池６は計画埋立面２１まで埋立てされる（図１ｂ４）。
【００１４】
実施例２
廃止溜池をビオトープとして利用する方法を説明する。
１．計画埋立面２１の下（４０〜４５ｃｍ）まで固化剤混合ヘドロ５１をローラー等で転圧して仕上げる。
２．これの上に心土５６を３０ｃｍ程度搬入して転圧。
３．さらに耕土５７を１０〜１５ｃｍ搬入してブルドーザ等で均し計画埋立面２１とする。計画埋立面２１を廃止溜池６の満水面４の下２０ｃｍ程度とすれば、水深２９が約２０ｃｍ程度のビオトープが完成する（図３）。
【００１５】
実施例３
図１及び図４にもとづいて、図２に示す廃止溜池６の現況満水面４より上を計画埋立面２１として跡地を広場として利用する方法を説明する（図４−ａ１，ｂ１）。
１．「実施例１」の１〜４までは同じ工程で盛土する。
２．計画埋立面２１の下を１０ｃｍ程度まで固化剤混合ヘドロ５１をローラー等で転圧して仕上げる。
３．これの上に、普通土を１０ｃｍ程度搬入してローラー等で転圧して計画埋立面２１とする。
４．計画埋立面２１は、現況満水面４より上とする。
５．流入水域１２から常時流入する小排水量を計画埋立面２１より下で排水するため小さな排水路２５を計画埋立面２１より下に設置する。排水路２５に相当する排水のため洪水吐に欠口２３を設ける。
６．欠口２３を設けることで増加する洪水量を減らすために現況洪水吐巾２８を縮小して改良洪水吐２０として現況洪水量と同じ計画洪水量とする。
７．計画埋立面２１と改良洪水吐２０の敷高１３は同じとする。
８．計画埋立面２１に設置した小さな排水路２５の流下能力以上の降雨があった場合には埋立面２１は一時湛水するため広場としては利用出来ない。
【００１６】
実施例４
図６にもとづいて、統合溜池５．１ヶ所と廃止溜池６．５ヶ所の例について説明する。
また、廃止溜池６の貯水量は統合溜池５で確保する場合を説明する。
１．統合溜池５と同じ流入水域１２を持つ統合溜池５の下流の廃止溜池６ａは、従来通り既設用水路１５を利用して潅漑をする。
２．統合溜池５と同じ流入水域１２ａを持つ、統合溜池５の上流の廃止溜池６ｂは、統合溜池５にポンプ３５を設け送水パイプ３３で送水して潅漑をする。
３．統合溜池５の他の流入水域１２ｂを持ち、統合溜池５より上に位置する廃止溜池６ｃは、統合溜池５にポンプ３５ｃを設け送水パイプ３３で送水して潅漑する。
また、流入水域１２ｂの流出する水を集水桝３６ｂで溜めて、集水パイプ３４ｂで統合溜池５に集水する。
４．統合溜池５の他の流入水域１２ｂを持ち、統合溜池５より下に位置する廃止溜池６ａは、統合溜池５から給水パイプ３２で給水して潅漑する。
５．統合溜池５の他の流入水域１２ｃを持ち、統合溜池５より下に位置する廃止溜池６ｅは、統合溜池５から給水パイプ３２で給水して潅漑する。
また、流入水域１２ｃの流出する水を集水桝３６ｅで溜めて、ポンプ３５ｅで送水パイプ３３で統合溜池５に送水する。
６．このようにパイプとポンプ３５は「かんぱい事業」であることから、「溜池再編事業」としては採択されていなかったが、これを一体的に計画することで溜池再編事業効果がより大きくなる。
【００１７】
実施例５
図７にもとづいて、あらかじめ盛土５２した後に法面保護を施工する方法を説明する。
１．盛土材４２を一定厚さをブルドーザー等でまき出しローラー等で転圧しながら盛土５２して行く。
２．施工時の法面４１を仮仕上り法面４３に切り取り整形する。
３．法枠５３を組んだ後に固化剤混合ヘドロ５１を中潰材として施工して、これの表面が仕上り法面４８となる。
【００１８】
実施例６
図８にもとづいて、盛土材４２と同時に固化剤混合ヘドロ５１を同時に転圧して法面保護を施工する方法を説明する。
１．盛土材４２と固化剤混合ヘドロ５１を一定厚さにまき出した後同時に、転圧をしながら所定高さまで盛る。
２．次に施工時の法面４１を仮仕上がり法面４３に切り取って整形して、仕上り法面４８とする。
【００１９】
実施例７
図９にもとづいて、盛土材４２と止水層材４４及び固化剤混合ヘドロ５１を同時に転圧して止水層４４を設けた法面保護を施工する方法を説明する。
１．盛土材４２と止水層４４及び固化剤混合ヘドロ５１を同時に転圧しながら所定高さまで盛る。
２．次に、施工時の法面４１を仮仕上り面４３に切り取り整形して、仕上り法面４８とする。
【００２０】
【発明の効果】
上記構成の、請求項１〜８の発明は、廃止溜池の下流関係者に、溜池廃止後でも洪水量の増加にならない事を理解しやすい工法と説明方法で、公共投資の軽減と地域防災に貢献する効果は大きく、しかも、下流域に及ぼす影響が少ないので、下流関係者の理解を得易い。
また、請求項９〜１５の発明は、溜池再編事業をパイプと同一事業で一体的に計画することで、溜池再編事業に多くの溜池を取り込むことが可能となり、公共投資の軽減と、地域防災に貢献する効果は大きい。
さらに、請求項１６〜２９の発明は、水源に発生するヘドロは、同一水系内に農業基盤整備用資材として利用すれば経費の節減効果は大きい。
【図面の簡単な説明】
【図１】統合溜池の固化剤混合ヘドロを廃止溜池に埋立する工程図である。ａは統合溜池。ｂは廃止溜池。ａ１は統合溜池の現況を示す。ｂ１は廃止溜池の現況を示す。ａ２は統合溜池の水を排水した状況を示す。ｂ２は廃止溜池の水を排水しヘドロに固化剤を混合して転圧した状況を示す。ａ３はヘドロを搬出しｂ３に盛土する工程を示す。ａ４は統合溜池のヘドロを搬出後再び水を溜めた状況を示す。ｂ４は廃止溜池の盛土が完成した状況を示す。
【図２】廃止溜池の現況説明図である。ａは溜池全体、ｂは洪水吐詳細を示す。
【図３】廃止溜池の跡地をビオトープとする場合の説明図である。ａは溜池全体、ｂは洪水吐詳細を示す。
【図４】廃止溜池の跡地を広場として利用する場合の説明図である。ａは溜池全体、ｂは洪水吐詳細を示す。
【図５】溜池の流入水域からの流入により満水面から水位が上昇し洪水吐から越流水深となって流下する状況説明図である。
【図６】複数の廃止溜池の統廃合の説明図である。
【図７】法面の法枠を使用する工程の一例の説明図である。
【図８】法面の保護に固化剤混合ヘドロを使用した工程の説明図である。
【図９】法面の保護に固化剤混合ヘドロと止水層材を使用した工程の説明図である。
【図１０】骨材入り固化剤混合ヘドロを道路舗装に使用した例の断面図である。
【図１１】固化剤混合ヘドロの路盤上に骨材を散布して転圧をし摩擦抵抗値を大きくした例の断面図である。
【符号の説明】
１    堤防
２    底樋管
３    現況洪水吐
４    満水面
５    統合溜池
６    廃止溜池
７    池底
８    ヘドロ
９    放水路
１０  下流排水路
１１  ゲート
１２  流入水域
１３  改良洪水吐敷高
１４  越流水深
１５  既設用水路
１６  農地
１７  陸線
１８  現況洪水吐敷高
１９  盛土面
２０  改良洪水吐
２１  計画埋立面
２２  縮小洪水吐幅
２３  欠口
２４  排水路底
２５  排水路
２６  まき出し厚
２７  改良洪水吐幅
２８  現況洪水吐幅
２９  ビオトープ水深
３０  水路流下水面
３２  給水パイプ
３３  送水パイプ
３４  集水パイプ
３５  ポンプ
３６  集水桝
４０  堤頂
４１  盛土施工時法面
４２  盛土材
４３  仕上り法面
４４  止水層
４５  固化剤混合ヘドロ路盤材
４６  表層
４７  浚渫
４８  仕上げ法面
４９  従来法面保護工
５０  固化剤混合ヘドロ転圧
５１  固化剤混合ヘドロ
５２  盛土
５３  法枠
５４  水田畦畔
５５  畑法
５６  心土
５７  耕土
５８  骨材入り固化剤混合ヘドロ
５９  基盤
６０  骨材
【図１】
0004194016.tif 000002
【図２】
0004194016.tif 000003
【図３】
0004194016.tif 000004
【図４】
0004194016.tif 000005
【図５】
0004194016.tif 000006
【図６】
0004194016.tif 000007
【図７】
0004194016.tif 000008
【図８】
0004194016.tif 000009
【図９】
0004194016.tif 000010
【図１０】
0004194016.tif 000011
【図１１】
0004194016.tif 000012